【手続補正書】
【提出日】平成20年7月7日(2008.7.7)
【手続補正１】
【補正対象書類名】明細書
【補正対象項目名】特許請求の範囲
【補正方法】変更
【補正の内容】
【特許請求の範囲】
【請求項１】  第１端末グループのメンバー間、および第２端末グループ間の符号分割多重アクセス通信をサポートするシステムであって、
第１端末グループに第１コードを割り当てる工程であって、前記第１グループの各ユーザーが固有のコード位相オフセットによって固有に識別される工程と、
第２端末グループに前記第１グループに使用するコードと同一コードを割り当てる工程であって、前記第２グループの各ユーザーが当該各ユーザーに固有ではない別のコードを使用する工程と、
前記第２グループの各ユーザーに追加コードを割り当てる工程であって、この追加コードが前記第２グループの各端末に固有である工程とを備えた符号分割多重アクセス通信サポート方法。
【請求項２】  請求項１において、前記第１端末グループに割り当てられる前記コードが、共通チップ・レート・コードである、符号分割多重アクセス通信サポート方法。
【請求項３】  請求項１において、前記第２端末グループに割り当てられる前記追加コードが、固有の直交コードセットである、符号分割多重アクセス通信サポート方法。
【請求項４】  請求項１において、前記第１端末グループに割り当てられる前記コードが、固有の非直交スクランブル系列である、符号分割多重アクセス通信サポート方法。
【請求項５】  請求項１において、前記第１端末グループが、長い疑似ランダム・ノイズ系列の固有位相オフセットであるスクランブル・コードを使用する、符号分割多重アクセス通信サポート方法。
【請求項６】  請求項１において、前記第２端末グループが、固有の直交コードセットである追加コードを使用する、符号分割多重アクセス通信サポート方法。
【請求項７】  請求項６において、前記固有の直交コードが、指定されたチップ・レートで前記第２端末グループの送信をスクランブルする、符号分割多重アクセス通信サポート方法。
【請求項８】  請求項７において、前記第２端末グループの送信タイミングは同期をとられて、前記第２端末グループからの送信を相互に直交にする、符号分割多重アクセス通信サポート方法。
【請求項９】  請求項１において、前記第１および第２端末グループが、互いに異なる無線周波数変調を使用する、符号分割多重アクセス通信サポート方法。
【請求項１０】  請求項１において、前記第１および第２端末グループが、異なる拡散方式で前記コードを使用する、符号分割多重アクセス通信サポート方法。
【請求項１１】  請求項１０において、前記第１端末グループが、同相および直交変調器に対する各入力として、一対のコードを使用する、符号分割多重アクセス通信サポート方法。
【請求項１２】  請求項１０において、前記第２端末グループが、ショート・スクランブル・コードとして前記割り当てられた追加コードを使用する、符号分割多重アクセス通信サポート方法。
【請求項１３】  請求項１において、前記第１端末グループが、第１リンク方向を介して周期的タイミング調整情報を受信して、第２リンク方向のタイミング調整を提供する、符号分割多重アクセス通信サポート方法。
【請求項１４】  請求項１３において、前記第２端末グループが、前記周期的タイミング調整情報を受信しない、符号分割多重アクセス通信サポート方法。
【請求項１５】  請求項１において、前記第２端末グループが、長さの短い直交コードである追加コードを使用する、符号分割多重アクセス通信サポート方法。
【請求項１６】  請求項１において、前記第２端末グループが、長さの短い、ビット拡張疑似ランダム・ノイズ系列である追加コードを使用する、符号分割多重アクセス通信サポート方法。
【請求項１７】  請求項１において、前記第１端末グループに割り当てられる前記コードおよび前記第２端末グループに割り当てられる前記追加コードが、遠隔に配備された無線端末と中枢に配備された無線基地局との間のリバース通信リンク上の送信を符号化する、符号分割多重アクセス通信サポート方法。
【請求項１８】  請求項１において、前記第１端末グループが、従来のセルラ電話端末である、符号分割多重アクセス通信サポート方法。
【請求項１９】  請求項１８において、前記第１端末グループに、ＣＤＭＡセルラ電話標準仕様に準拠するコードが割り当てられる、符号分割多重アクセス通信サポート方法。
【請求項２０】  請求項１９において、前記ＣＤＭＡセルラ電話標準仕様が、ＩＳ−９５およびＣＤＭＡ−２０００から構成されるグループから選択されている、符号分割多重アクセス通信サポート方法。
【請求項２１】  請求項１８において、前記第２端末グループが、無線データ通信システムにおいて使用される、符号分割多重アクセス通信サポート方法。
【請求項２２】  請求項２１において、前記第２端末グループに割り当てられる前記追加コードが、共通チップ・レートのスクランブル・コードのセットである、符号分割多重アクセス通信サポート方法。
【請求項２３】  請求項２２において、前記追加コードがＮチップ毎に繰り返すスクランブル・コードであり、このＮは１２８〜３２７６８チップの範囲内の偶数である、符号分割多重アクセス通信サポート方法。
【請求項２４】  第１アクセス・ユニット・セットおよび第２アクセス・ユニット・セットを備えた無線通信システムであって、
前記第１アクセス・ユニット・セットおよび前記第２アクセス・ユニット・セットが中枢の基地局と通信可能であり、前記第１アクセス・ユニット・セットがチップ・レート・スクランブル・コードを使用して、これらユニットのユーザー・チャネルを分離し、前記第１アクセス・ユニット・セットの各ユニットが、ロング疑似ランダム・ノイズ系列の固有位相シフトから選択される、少なくとも１つの固有の非直交スクランブル・コードを有し、前記第２アクセス・ユニット・セットが、第１アクセス・ユニット・グループに使用されないロング疑似ランダム・ノイズ系列の位相シフトから生成されたチップ・レート・スクランブル・コードを共有する、無線通信システム。
【請求項２５】  請求項２４において、前記第２セットの各ユニットに少なくとも１つの固有直交コードが割り当てられる、無線通信システム。
【請求項２６】  請求項２４において、前記第２アクセス・ユニット・セットのチップ・レート送信が、直交コードのビットによりチップ・レートでスクランブルされる、無線通信システム。
【請求項２７】  請求項２４において、前記第２アクセス・ユニット・セットの送信タイミングが、これら送信が相互に直交になるように制御される、無線通信システム。
【請求項２８】  請求項２４において、前記スクランブル・コードが、２42チップ長さである、無線通信システム。
【請求項２９】  請求項２４において、前記第１アクセス・ユニット・セットおよび前記第２アクセス・ユニット・セットが、異なる変調方式を使用する、無線通信システム。
【請求項３０】  請求項２４において、前記第１アクセス・ユニット・セットおよび前記第２アクセス・ユニット・セットが、異なる拡散方式を使用する、無線通信システム。
【請求項３１】  請求項３０において、第１アクセス・ユニット・セットが、複合の同相および直交拡散を使用する、無線通信システム。
【請求項３２】  請求項３１において、前記複合の同相および直交拡散が、２つの異なるスクランブル・コードを使用する、無線通信システム。
【請求項３３】  請求項３２において、前記２つの異なるスクランブル・コードが、長さ２15である、無線通信システム。
【請求項３４】  請求項３２において、前記２つの異なるスクランブル・コードが、同相（Ｉ）コードおよび直交（Ｑ）コードを備えた、無線通信システム。
【請求項３５】請求項３１において、前記第２アクセス・ユニット・セットが、長さ２15であるスクランブル・コードを使用する、無線通信システム。
【請求項３６】  請求項２４において、前記第１および第２アクセス・ユニットが、リバース・リンク通信信号に各信号をフォーマット化するために、前記割り当てられたコードを使用する、無線通信システム。
【請求項３７】  ユーザー装置であって、
アンテナと、
コントローラーにデータを供給するように構成された送受信機と
を備え、
前記コントローラーが、複数のチャネルを含むリバース・リンクを維持し、前記データをロング疑似ランダム・ノイズ（ＰＮ）コードおよび追加コードで符号化するように構成され、前記追加コードが、同一のＰＮコードを有する他のユーザー装置と前記ユーザー装置とを区別できるような前記ユーザー装置に固有のコードであり、前記ユーザー装置と前記他のユーザー装置とが単一のユーザー装置として現れることを特徴とするユーザー装置。
【請求項３８】  請求項３７において、前記データをスペクトル拡散のためのショートＰＮコードでさらに符号化する、ユーザー装置。
【請求項３９】  請求項３７において、前記追加コードが固有の直交コードである、ユーザ装置。
【請求項４０】  請求項３７において、前記リバース・リンクがアクセス・チャネル、メンテナンス・チャネルおよび少なくとも１つのトラフィック・チャネルを含む、ユーザー装置。
【請求項４１】  請求項４０において、前記コントローラーが前記アクセス・チャネルを使用して前記ユーザー装置に対する前記少なくとも１つのトラフィック・チャネルの割り当てを要求する、ユーザー装置。
【請求項４２】  請求項４１において、前記コントローラーから基地局まで前記リバース・リンク上で割り当てられたトラフィック・チャネルを使用してペイロード・データを伝送する、ユーザー装置。
【請求項４３】  請求項４０において、前記コントローラーが前記メンテナンス・チャネルを使用して同期メッセージおよびパワー制御メッセージを基地局へ伝送して前記リバース・リンク上でのＣＤＭＡユーザー装置から基地局まで情報の送信をサポートする、ユーザー装置。
【請求項４４】  請求項３７において、前記送受信機がパーソナル・コンピュータ（ＰＣ）である、ユーザー装置。
【請求項４５】  請求項３７において、前記コントローラーが加入者アクセス・ユニットである、ユーザー装置。